(57)【要約】      （修正有）【課題】着用したままでトイレをすることが出来るようにしたツナギ服を提供する。【解決手段】上着部１とズボン部２とが切り離し不能につながれているツナギ服であり、ズボン部２の尻部分３が開閉可能に形成されている。【選択図】図４
2007327144.tif 000002
【特許請求の範囲】
【請求項１】
上着部とズボン部とが切り離し不能につながれているツナギ服であって、ズボン部の尻部分が開閉可能に形成されていることを特徴とするツナギ服。
【請求項２】
ズボン部は、ウエストの後ろ半分が上着部から切り離され、その切り離し部の両端から夫々下向きに切り込みが形成されてその切り込みにファスナーが設けられることにより、尻部分が開閉可能となっており、上着部は、後身頃の裾部がズボン部のウエスト位置より下方へ長く突出して尻部分の内側へ挿入されるようになっていることを特徴とする請求項１に記載のツナギ服。
【請求項３】
上着部から切り離されたズボン部のウエスト部分に伸縮ベルト部が形成され、その両端部の延長部片がズボン部のウエストの前側所要部に係止布を介して係止固定されるようになっていることを特徴とする請求項２に記載のツナギ服。
【請求項４】
ズボン部は、尻部分に所要形状の切り込みが形成されて、その切り込みにファスナーが設けられることにより、尻部分が開閉可能となっていることを特徴とする請求項１に記載のツナギ服。
【請求項５】
ズボン部の尻部分には下向き略Ｕ字状の切り込みが形成されていることを特徴とする請求項４に記載のツナギ服。
【発明の詳細な説明】
【技術分野】
【０００１】
本発明は、上着部とズボン部とが切り離し不能につながれているツナギ服に関するもので、食品工場や半導体組立工場等で作業着として使用されたり、スポーツや釣り、ピクニック等のレジャーの分野で使用されるツナギ服に関する。
【背景技術】
【０００２】
従来この種のツナギ服、例えば食品工場等で作業着として使用されるツナギ服は、ズボン部が前明きとなっているため、男性の場合、トイレをしたい時に小便は可能であるが、ズボン部の後部が明いていないことから、着用したままでは大便ができず、また女性の場合には小便も大便をできず、従って男性が大便をする時はツナギ服の全体を脱ぎ、また、女性の場合はトイレをする時は必ずツナギ服全体を脱がなければならず、非常に面倒であった。
【発明の開示】
【発明が解決しようとする課題】
【０００３】
本発明は、着用したままでトイレをすることができるようにしたツナギ服を提供することを目的とする。
【課題を解決するための手段】
【０００４】
上記課題を解決するための手段を、後述する実施形態の参照符号を付して説明すると、請求項１に係る発明は、上着部１とズボン部２とが切り離し不能につながれているツナギ服であって、ズボン部２の尻部分３が開閉可能に形成されていることを特徴とする。
【０００５】
請求項２は、請求項１に記載のツナギ服において、ズボン部２は、ウエストＷの後ろ半分Ｗｂが上着部から切り離され、その切り離し部５の両端から夫々下向きに切り込み６，６が形成されてその切り込み６にファスナー７が設けられることにより、尻部分３が開閉可能となっており、上着部１は、後身頃１ｂの裾部８がズボン部２のウエストＷ位置より下方へ長く突出して尻部分３の内側へ挿入されるようになっていることを特徴とする。
【０００６】
請求項３は、請求項２に記載のツナギ服において、上着部１から切り離されたズボン部２のウエストＷｂ部分に伸縮ベルト部９が形成され、その両端部の延長部片１０，１０がズボン部２のウエストＷの前側所要部に係止布１１を介して係止固定されるようになっていることを特徴とする。
【０００７】
請求項４は、請求項１に記載のツナギ服において、ズボン部２は、尻部分３に所要形状の切り込みが形成されて、その切り込みにファスナーが設けられることにより、尻部分３が開閉可能となっていることを特徴とする。
【０００８】
請求項５は、ズボン部２の尻部分３には下向き略Ｕ字状の切り込み１４が形成されていることを特徴とする請求項５に記載のツナギ服。
【発明の効果】
【０００９】
上記解決手段による発明の効果を、後述する実施形態の参照符号を付して説明すると、請求項１に係る発明によれば、ズボン部２の尻部分３が開閉可能に形成されているから、ツナギ服を着用している状態で、男性がトイレで大便をしたい時や女性がトイレをしたい時には、ズボン部２の尻部分３を開放することによって、男性も女性もツナギ服を着たままで、自由にトイレをすることができる。
【００１０】
請求項２に係る発明によれば、ズボン部２は、ウエストＷの後ろ半分Ｗｂが上着部から切り離され、その切り離し部５の両端から夫々下向きに切り込み６，６が形成されて切り込み６にファスナー７が設けられることにより、尻部分３が開閉可能となっているから、トイレをしたい時には、ファスナー７を開閉操作することによって、尻部分３を簡単容易に開放することができる。また、上着部１は、後身頃１ｂの裾部８がズボン部２のウエストＷ位置よりも下方へ長く突出して尻部分３の内側へ挿入されるようになっているから、この裾部８によって、上着部１から切り離されたズボン部２のウエスト部分Ｗｂと、上着部１との間の不都合な隙間を塞ぐことができる。
【００１１】
請求項３に係る発明によれば、上着部１から切り離されたズボン部２のウエストＷｂ部分に伸縮ベルト部９が形成され、その両端部の延長部片１０，１０がズボン部２のウエストＷの前側所要部に係止布１１を介して係着固定されるようになっているから、伸縮ベルト部９の両端延長部片１０，１０を適宜に引っ張りながらウエストＷの前側所要部に係止布１１を介して係着固定することにより、上着部１から切り離されたズボン部２のウエスト部分Ｗｂを上着部１外面側に対し隙間なく密着させることができる。
【００１２】
請求項４に係る発明によれば、ズボン部２は尻部分３に所要形状の切り込み１４が形成され、その切り込み１４にファスナー１５が設けてあって、その尻部分３が開閉可能となっているから、トイレをしたい時は、そのファスナー１５を開閉操作することによって、尻部分３を簡単容易に開放することができる。
【００１３】
請求項５に係る発明によれば、ズボン部２の尻部分には下向き略Ｕ字状の切り込み１４が形成されているから、ファスナー７の開閉操作を容易迅速に行なうことができる。
【発明を実施するための最良の形態】
【００１４】
以下に本発明の好適な実施形態について図面を参照しながら説明すると、図１は本発明に係るツナギ服Ａの使用状態を正面側から見た斜視図であり、図２は同ツナギ服Ａをやや平面状に展開した状態での正面図、図３は同ツナギ服Ａをやや平面状に展開した状態での背面図、図４は同ツナギ服Ａの使用状態を示す背面図である。このツナギ服Ａは、上着部１とズボン部２とが切り離し不能につながれていて、ズボン部２の尻部分３が開閉可能に形成されている。
【００１５】
上記ツナギ服Ａの構造について詳細に説明すれば、上着部１は、前身頃１ａ及び後身頃１ｂと両袖部１ｃ，１ｃとからなり、首部１ｄにはフード４が一体的に取り付けられ、そしてズボン部２は、ウエストＷの後ろ半分Ｗｂが上着部１の後身頃１ｂから切り離され、その切り離し部５の両端から夫々下向きに切り込み６，６が形成されて、その各切り込み６にファスナー７が設けられ、それにより尻部分３が図３（閉鎖状態）及び図４（開放状態）で示すように開閉可能となっている。図３及び図４において、７ｏはファスナー７の開閉操作用ツマミを示す。尚、上着部１及びズボン部２は、夫々合成繊維からなる布地によって形成される。
【００１６】
上着部１は、図４に示すように、後身頃１ｂの裾部８がズボン部２のウエストＷの位置よりも下方へ長く突出して、尻部分３の内側へ挿入されるようになっている。
【００１７】
また図３に示すように、上着部１から切り離されたズボン部２のウエストＷの後ろ半分Ｗｂには伸縮ベルト部９が形成され、その両端から延長された非伸縮性の延長部片１０，１０が夫々ズボン部２のウエストＷの前半分Ｗａの両端部に係止布１１を介して固定されるようになっている。伸縮ベルト部９は、図示は省略するが、例えば上記のウエスト部分Ｗｂを袋状に形成して、その袋に沿ってゴムベルトを挿入することによって形成される。係止布１１は、マジックテープ（登録商標）からなるもので、伸縮ベルト９の両端延長部片１０，１０の夫々裏側（図３及び図４参照）と、ズボン部２のウエストＷの前半分Ｗａの両端部とに夫々装着されている。
【００１８】
また、このツナギ服Ａは、図１、図２及び図４に示すように、上着部１からズボン部２にかけて前明きになっており、その前明き部分１２にファスナー１３が取り付けられて、開閉できるようになっている。
【００１９】
上記のような構成よりなるツナギ服Ａを着用する時は、従来のツナギ服と同じ様にして前明き部分１２のファスナー１３を開放操作し、その開放した前明き部分１２からズボン部２に後ろ向きになった状態で足を入れた後、上着部１を羽織るようにすればよい。尚、前明き部分１２のファスナー１３を閉じたままで、ズボン部２の尻部分３を下記のように開放し、その開放した尻部分３から下半身及び上半身を入れて着用することもできる。
【００２０】
こうしてツナギ服Ａを着用した状態において、男性がトイレで大便をしたい時や、女性がトイレをしたい時には、図４に示すように、ズボン部２の尻部分３を閉じているファスナー７を開放操作して、この尻部分３を開放することにより、男性も女性も、ツナギ服Ａを着たままで、自由にトイレをすることができる。
【００２１】
トイレを済ませたならば、ファスナー７を閉じ操作して尻部分３を閉鎖し、ズボン部２を元の状態に戻せばよい。この時、ズボン部２の後身頃１ｂの裾部８をズボン部２の尻部分３の内側へ挿入し、そしてズボン部２のウエストＷの後ろ半分Ｗｂに形成されている伸縮ベルト部９の両端延長部片１０，１０を適宜に引っ張りながらウエストＷの前半分Ｗａの両端部に係止布１１を介して係着固定することにより、上着部１から切り離されたズボン部２のウエスト部分Ｗｂを上着部１の後身頃１ｂ外面側に対し隙間なく密着させることができる。
【００２２】
この実施形態では、ズボン部２のウエストＷの後ろ半分Ｗｂに伸縮ベルト部９を形成して、その両端延長部片１０，１０をウエストＷの前半分Ｗａの両端部に係止布１１を介して係着固定するようにしているが、このような伸縮ベルト部９を形成する代わりに、ズボン部２のウエストＷに所要間隔おきにベルト通しを設け、これに一般に使用するベルトを通してウエストＷを絞るようにすることで、略同様の効果を奏することができる。但し、実施形態の様な構成とすれば、ズボン部２のウエスト部分Ｗｂを、上着部１の後身頃１ｂ外面側に対し的確に且つ柔軟性を持って隙間なく密着させることができる。
【００２３】
図５は本発明の他の実施形態によるツナギ服Ｂを図２の場合と同様にやや平面状に展開した状態で示す正面図、図６は同ツナギ服Ｂの背面図、図７は同ツナギ服Ｂの使用状態を示す背面図である。このツナギ服Ｂの特徴は、ズボン部２の尻部分３に下向き略Ｕ字状の切り込み１４を形成し、その切り込み１４にファスナー１５を取り付けることによって、尻部分３を開閉可能としたことである。
【００２４】
このズボン部２の尻部分３には下向き略Ｕ字状の切り込み１４を形成してファスナー７を取り付けているが、尻部分３に形成する切り込みは、下向き略コ字状であってもよい。しかし、この実施形態のように下向き略Ｕ字状の切り込み１４とすれば、切り込み長さを極力短くすることができると共に、ファスナー７の開閉操作を容易且つ迅速に行なうことができる。
【００２５】
このツナギ服Ｂの上着部１には、先の実施形態のツナギ服Ａのようなフード４は付いていない。また上着部１には、前身頃１ａの中央部の上半分に切り込み１６が入れられて、ファスナー１７が取り付けられている。従って、このツナギ服Ｂを着用する時は、ズボン部２の尻部分３のファスナー７を開放操作して、その開放した尻部分３から下半身及び上半身を入れて着用する。
【００２６】
そして、このツナギ服Ｂを着用した状態において、男性がトイレで大便をしたい時や、女性がトイレをしたい時には、図７に示すように、ズボン部２の尻部分３を閉じているファスナー７を開放操作して、尻部分３を開放することにより、先の実施形態のツナギ服Ａと同様に、男性も女性もツナギ服Ａを着用したままの状態で、自由にトイレをすることができる。
【図面の簡単な説明】
【００２７】
【図１】本発明に係るツナギ服Ａの使用状態を正面側から見た斜視図である。
【図２】同ツナギ服Ａをやや平面状に展開した状態での正面図である。
【図３】同ツナギ服Ａをやや平面状に展開した状態での背面図である。
【図４】同ツナギ服Ａの使用状態を示す背面図である。
【図５】本発明の他の実施形態によるツナギ服Ｂをやや平面状に展開した状態で示す正面図である。
【図６】同ツナギ服Ｂの背面図である。
【図７】同ツナギ服Ｂの使用状態を示す背面図である。
【符号の説明】
【００２８】
１            上着部
１ａ          上着部の前身頃
１ｂ          上着部の後身頃
２            ズボン部
３            尻部分
５            切り離し部
６            切り込み
７            ファスナー
８            上着部の後身頃の裾部
９            伸縮ベルト部
１０          伸縮ベルト部の両端部延長部片
１１          係止布
１４          切り込み
【図１】
2007327144.tif 000003
【図２】
2007327144.tif 000004
【図３】
2007327144.tif 000005
【図４】
2007327144.tif 000006
【図５】
2007327144.tif 000007
【図６】
2007327144.tif 000008
【図７】
2007327144.tif 000009